(57)【要約】【課題】  複数の画像形成装置のそれぞれで同一のファイルがダイレクトプリントされた場合に同一の印刷結果を得ることができるダイレクトプリント指示装置、ダイレクトプリント指示プログラムおよびダイレクトプリント指示方法を提供する。【解決手段】  画像形成装置は、ダイレクトプリント対応ファイルのダイレクトプリント時に適用される印刷設定値としての適用設定値として、複数の画像形成装置の全てが設定可能な印刷設定値を決定し（Ｓ１１５）、ダイレクトプリント対応ファイルと、Ｓ１１５において決定した適用設定値とを複数の画像形成装置に入力する（Ｓ１１７）ことを特徴とする。【選択図】  図６
2019042968.tif 000002
【特許請求の範囲】
【請求項１】
特定の種類のファイルをプリンタードライバーを介さずに直接印刷するダイレクトプリントを実行可能な複数の画像形成装置に、前記ファイルと、前記ファイルのダイレクトプリント時に適用される印刷設定値としての適用設定値とを入力するファイル入力手段と、
前記複数の画像形成装置の全てが設定可能な印刷設定値を前記適用設定値として決定する適用設定値決定手段と
を備えることを特徴とするダイレクトプリント指示装置。
【請求項２】
前記適用設定値決定手段は、前記適用設定値の指定を受け付ける場合に、前記複数の画像形成装置の全てが設定可能な範囲内で前記適用設定値の指定を受け付けることを特徴とする請求項１に記載のダイレクトプリント指示装置。
【請求項３】
前記適用設定値決定手段は、前記ファイルに関連付けられた印刷設定値としての関連設定値が存在する場合、前記複数の画像形成装置の少なくとも１つが少なくとも１つの印刷設定項目に対する前記関連設定値を設定可能でないとき、前記複数の画像形成装置の少なくとも１つが設定可能でない前記関連設定値を通知して、前記適用設定値の指定を受け付けることを特徴とする請求項１または請求項２に記載のダイレクトプリント指示装置。
【請求項４】
前記適用設定値決定手段は、前記ファイルに関連付けられた印刷設定値が存在しない場合、印刷設定項目毎に、前記複数の画像形成装置のそれぞれのデフォルトの印刷設定値のうち、最もレベルが低い印刷設定値を前記適用設定値として決定することを特徴とする請求項１から請求項３までのいずれかに記載のダイレクトプリント指示装置。
【請求項５】
前記適用設定値決定手段によって決定された前記適用設定値を、前記ファイルに関連付けられた印刷設定値として保存する関連設定値保存手段を備えることを特徴とする請求項１から請求項４までのいずれかに記載のダイレクトプリント指示装置。
【請求項６】
特定の種類のファイルをプリンタードライバーを介さずに直接印刷するダイレクトプリントを実行可能な複数の画像形成装置に、前記ファイルと、前記ファイルのダイレクトプリント時に適用される印刷設定値としての適用設定値とを入力するファイル入力手段と、
前記複数の画像形成装置の全てが設定可能な印刷設定値を前記適用設定値として決定する適用設定値決定手段と
をコンピューターに実現させることを特徴とするダイレクトプリント指示プログラム。
【請求項７】
特定の種類のファイルをプリンタードライバーを介さずに直接印刷するダイレクトプリントを実行可能な複数の画像形成装置に、前記ファイルと、前記ファイルのダイレクトプリント時に適用される印刷設定値としての適用設定値とを入力するファイル入力ステップと、
前記複数の画像形成装置の全てが設定可能な印刷設定値を前記適用設定値として決定する適用設定値決定ステップと
を備えることを特徴とするダイレクトプリント指示方法。
【発明の詳細な説明】
【技術分野】
【０００１】
本発明は、特定の種類のファイルをプリンタードライバーを介さずに直接印刷するダイレクトプリントを指示するダイレクトプリント指示装置、ダイレクトプリント指示プログラムおよびダイレクトプリント指示方法に関する。
【背景技術】
【０００２】
従来、特定の種類のファイルをプリンタードライバーを介さずに直接印刷するダイレクトプリントを実行可能な画像形成装置として、ファイルのダイレクトプリント時に適用される印刷設定値を、画像形成装置の設定可能な印刷設定値に基づいて決定するものが知られている（例えば、特許文献１参照。）。
【先行技術文献】
【特許文献】
【０００３】
【特許文献１】特開２０１３−１８７８８９号公報
【発明の概要】
【発明が解決しようとする課題】
【０００４】
しかしながら、特許文献１に記載された画像形成装置においては、複数の画像形成装置のそれぞれで同一のファイルがダイレクトプリントされた場合に、ファイルに適用される印刷設定値が複数の画像形成装置の全てで同一のものになるとは限らないので、複数の画像形成装置の全てで同一の印刷結果が得られるとは限らないという問題がある。
【０００５】
そこで、本発明は、複数の画像形成装置のそれぞれで同一のファイルがダイレクトプリントされた場合に同一の印刷結果を得ることができるダイレクトプリント指示装置、ダイレクトプリント指示プログラムおよびダイレクトプリント指示方法を提供することを目的とする。
【課題を解決するための手段】
【０００６】
本発明のダイレクトプリント指示装置は、特定の種類のファイルをプリンタードライバーを介さずに直接印刷するダイレクトプリントを実行可能な複数の画像形成装置に、前記ファイルと、前記ファイルのダイレクトプリント時に適用される印刷設定値としての適用設定値とを入力するファイル入力手段と、前記複数の画像形成装置の全てが設定可能な印刷設定値を前記適用設定値として決定する適用設定値決定手段とを備えることを特徴とする。
【０００７】
この構成により、本発明のダイレクトプリント指示装置は、ファイルのダイレクトプリント時に適用される印刷設定値として、複数の画像形成装置の全てが設定可能な印刷設定値を決定するので、複数の画像形成装置のそれぞれで同一のファイルがダイレクトプリントされた場合に同一の印刷結果を得ることができる。
【０００８】
本発明のダイレクトプリント指示装置において、前記適用設定値決定手段は、前記適用設定値の指定を受け付ける場合に、前記複数の画像形成装置の全てが設定可能な範囲内で前記適用設定値の指定を受け付けても良い。
【０００９】
この構成により、本発明のダイレクトプリント指示装置は、ファイルのダイレクトプリント時に適用される印刷設定値の指定を、複数の画像形成装置の全てが設定可能な範囲内で受け付けるので、複数の画像形成装置のそれぞれで同一のファイルがダイレクトプリントされた場合に同一の印刷結果を得るための利便性を向上することができる。
【００１０】
本発明のダイレクトプリント指示装置において、前記適用設定値決定手段は、前記ファイルに関連付けられた印刷設定値としての関連設定値が存在する場合、前記複数の画像形成装置の少なくとも１つが少なくとも１つの印刷設定項目に対する前記関連設定値を設定可能でないとき、前記複数の画像形成装置の少なくとも１つが設定可能でない前記関連設定値を通知して、前記適用設定値の指定を受け付けても良い。
【００１１】
この構成により、本発明のダイレクトプリント指示装置は、ファイルに関連付けられた関連設定値が存在する場合、複数の画像形成装置の少なくとも１つが少なくとも１つの印刷設定項目に対する関連設定値を設定可能でないとき、複数の画像形成装置の少なくとも１つが設定可能でない関連設定値を通知して、ファイルのダイレクトプリント時に適用される印刷設定値の指定を受け付けるので、複数の画像形成装置のそれぞれで同一のファイルがダイレクトプリントされた場合に同一の印刷結果を得るための利便性を向上することができる。
【００１２】
本発明のダイレクトプリント指示装置において、前記適用設定値決定手段は、前記ファイルに関連付けられた印刷設定値が存在しない場合、印刷設定項目毎に、前記複数の画像形成装置のそれぞれのデフォルトの印刷設定値のうち、最もレベルが低い印刷設定値を前記適用設定値として決定しても良い。
【００１３】
この構成により、本発明のダイレクトプリント指示装置は、ファイルに関連付けられた印刷設定値が存在しない場合、印刷設定項目毎に、複数の画像形成装置のそれぞれのデフォルトの印刷設定値のうち、最もレベルが低い印刷設定値を適用設定値として決定するので、このファイルがこれらの画像形成装置のそれぞれでダイレクトプリントされた場合に、印刷設定項目毎に、これらの画像形成装置のいずれかのデフォルトの印刷設定値が適用された同一の印刷結果を得ることができる。
【００１４】
本発明のダイレクトプリント指示装置は、前記適用設定値決定手段によって決定された前記適用設定値を、前記ファイルに関連付けられた印刷設定値として保存する関連設定値保存手段を備えても良い。
【００１５】
この構成により、本発明のダイレクトプリント指示装置は、複数の画像形成装置によるファイルのダイレクトプリント時に適用された、これらの画像形成装置の全てが設定可能な印刷設定値を、このファイルに関連付けられた印刷設定値として保存するので、これらの画像形成装置のそれぞれでこのファイルが再度ダイレクトプリントされた場合に同一の印刷結果を再度得ることができる。
【００１６】
本発明のダイレクトプリント指示プログラムは、特定の種類のファイルをプリンタードライバーを介さずに直接印刷するダイレクトプリントを実行可能な複数の画像形成装置に、前記ファイルと、前記ファイルのダイレクトプリント時に適用される印刷設定値としての適用設定値とを入力するファイル入力手段と、前記複数の画像形成装置の全てが設定可能な印刷設定値を前記適用設定値として決定する適用設定値決定手段とをコンピューターに実現させることを特徴とする。
【００１７】
この構成により、本発明のダイレクトプリント指示プログラムを実行するコンピューターは、ファイルのダイレクトプリント時に適用される印刷設定値として、複数の画像形成装置の全てが設定可能な印刷設定値を決定するので、複数の画像形成装置のそれぞれで同一のファイルがダイレクトプリントされた場合に同一の印刷結果を得ることができる。
【００１８】
本発明のダイレクトプリント指示方法は、特定の種類のファイルをプリンタードライバーを介さずに直接印刷するダイレクトプリントを実行可能な複数の画像形成装置に、前記ファイルと、前記ファイルのダイレクトプリント時に適用される印刷設定値としての適用設定値とを入力するファイル入力ステップと、前記複数の画像形成装置の全てが設定可能な印刷設定値を前記適用設定値として決定する適用設定値決定ステップとを備えることを特徴とする。
【００１９】
この構成により、本発明のダイレクトプリント指示方法は、ファイルのダイレクトプリント時に適用される印刷設定値として、複数の画像形成装置の全てが設定可能な印刷設定値を決定するので、複数の画像形成装置のそれぞれで同一のファイルがダイレクトプリントされた場合に同一の印刷結果を得ることができる。
【発明の効果】
【００２０】
本発明のダイレクトプリント指示装置、ダイレクトプリント指示プログラムおよびダイレクトプリント指示方法は、複数の画像形成装置のそれぞれで同一のファイルがダイレクトプリントされた場合に同一の印刷結果を得ることができる。
【図面の簡単な説明】
【００２１】
【図１】本発明の一実施の形態に係るダイレクトプリントシステムのブロック図である。
【図２】ＭＦＰである場合の図１に示す画像形成装置のブロック図である。
【図３】図１に示す利用者端末のブロック図である。
【図４】図１に示す記憶媒体が記憶しているファイルの一例を示す図である。
【図５】画像形成装置にダイレクトプリント対応ファイルをダイレクトプリントさせる場合の図２に示す画像形成装置の動作の一部のフローチャートである。
【図６】図５に示す動作の続きのフローチャートである。
【図７】図５および図６に示す動作において表示されるファイルリスト画面の一例を示す図である。
【図８】図５および図６に示す動作において表示される画像形成装置リスト画面の一例を示す図である。
【図９】図５および図６に示す動作において表示される印刷設定画面の一例を示す図である。
【図１０】図９に示す変更ボタンが押された場合の画像形成装置の動作のフローチャートである。
【図１１】対象装置の少なくとも１つが設定可能ではない印刷設定値が強調表示された、図９に示す印刷設定画面の一例を示す図である。
【発明を実施するための形態】
【００２２】
以下、本発明の一実施の形態について、図面を用いて説明する。
【００２３】
まず、本実施の形態に係るダイレクトプリントシステムの構成について説明する。
【００２４】
図１は、本実施の形態に係るダイレクトプリントシステム１０のブロック図である。
【００２５】
図１に示すように、ダイレクトプリントシステム１０は、ＴＩＦＦ（Ｔａｇ  Ｉｍａｇｅ  Ｆｉｌｅ  Ｆｏｒｍａｔ）ファイル、ＪＰＥＧ（Ｊｏｉｎｔ  Ｐｈｏｔｏｇｒａｐｈｉｃ  Ｅｘｐｅｒｔｓ  Ｇｒｏｕｐ）ファイル、ＰＤＦ（Ｐｏｒｔａｂｌｅ  Ｄｏｃｕｍｅｎｔ  Ｆｏｒｍａｔ）ファイル、ＴＸＴファイルなど、特定の種類のファイル（以下「ダイレクトプリント対応ファイル」という。）をプリンタードライバーを介さずに直接印刷するダイレクトプリントを実行可能な画像形成装置２０と、利用者端末３０と、記憶媒体４０とを備えている。
【００２６】
ダイレクトプリントシステム１０は、画像形成装置２０以外にも、画像形成装置２０と同様な構成の画像形成装置を少なくとも１つ備えることが可能である。ダイレクトプリントシステム１０に含まれる画像形成装置は、例えば、ＭＦＰ（Ｍｕｌｔｉｆｕｎｃｔｉｏｎ  Ｐｅｒｉｐｈｅｒａｌ）およびプリンター専用機のいずれかである。ダイレクトプリントシステム１０に含まれる画像形成装置は、自身より古い機種の画像形成装置のデフォルトの印刷設定値（以下「デフォルト設定値」という。）が全て設定可能に開発されている。
【００２７】
ダイレクトプリントシステム１０は、利用者端末３０以外にも、利用者端末３０と同様な構成の利用者端末を少なくとも１つ備えることが可能である。ダイレクトプリントシステム１０に含まれる利用者端末は、例えば、ＰＣ（Ｐｅｒｓｏｎａｌ  Ｃｏｍｐｕｔｅｒ）、スマートフォンなどのコンピューターである。
【００２８】
ダイレクトプリントシステム１０は、記憶媒体４０以外にも、記憶媒体４０と同様な構成の記憶媒体を少なくとも１つ備えることが可能である。ダイレクトプリントシステム１０に含まれる記憶媒体は、例えば、ＵＳＢ（Ｕｎｉｖｅｒｓａｌ  Ｓｅｒｉａｌ  Ｂｕｓ）メモリーである。
【００２９】
ダイレクトプリントシステム１０に含まれる全ての画像形成装置は、同一のネットワーク上に存在していて、互いに通信可能である。ダイレクトプリントシステム１０に含まれる画像形成装置と、ダイレクトプリントシステム１０に含まれる利用者端末とは、互いに通信可能である。ダイレクトプリントシステム１０に含まれる画像形成装置は、ダイレクトプリントシステム１０に含まれる記憶媒体に対してデータの入出力が可能である。
【００３０】
図２は、ＭＦＰである場合の画像形成装置２０のブロック図である。
【００３１】
図２に示すように、画像形成装置２０は、種々の操作が入力されるボタンなどの入力デバイスである操作部２１と、種々の情報を表示するＬＣＤ（Ｌｉｑｕｉｄ  Ｃｒｙｓｔａｌ  Ｄｉｓｐｌａｙ）などの表示デバイスである表示部２２と、原稿から画像を読み取る読取デバイスであるスキャナー２３と、用紙などの記録媒体に画像を印刷する印刷デバイスであるプリンター２４と、図示していない外部のファクシミリ装置と公衆電話回線などの通信回線経由でファックス通信を行うファックスデバイスであるファックス通信部２５と、ＬＡＮ（Ｌｏｃａｌ  Ａｒｅａ  Ｎｅｔｗｏｒｋ）、インターネットなどのネットワーク経由で、または、ネットワークを介さずに有線または無線によって直接に、外部の装置と通信を行う通信デバイスである通信部２６と、各種の情報を記憶する半導体メモリー、ＨＤＤ（Ｈａｒｄ  Ｄｉｓｋ  Ｄｒｉｖｅ）などの不揮発性の記憶デバイスである記憶部２７と、画像形成装置２０全体を制御する制御部２８とを備えているコンピューターである。
【００３２】
記憶部２７は、ダイレクトプリントシステム１０に含まれる画像形成装置にダイレクトプリントを指示するためのダイレクトプリント指示プログラム２７ａを記憶している。ダイレクトプリント指示プログラム２７ａは、例えば、画像形成装置２０の製造段階で画像形成装置２０にインストールされていても良いし、ＵＳＢメモリーなどの外部の記憶媒体から画像形成装置２０に追加でインストールされても良いし、ネットワーク上から画像形成装置２０に追加でインストールされても良い。
【００３３】
記憶部２７は、印刷設定項目毎に種々の印刷設定値のレベルを示す印刷設定値レベル情報２７ｂを記憶している。
【００３４】
制御部２８は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部２７に記憶されているプログラムを実行する。
【００３５】
制御部２８は、ダイレクトプリント指示プログラム２７ａを実行することによって、ダイレクトプリントシステム１０に含まれる画像形成装置に、ダイレクトプリント対応ファイルと、ダイレクトプリント対応ファイルのダイレクトプリント時に適用される印刷設定値としての適用設定値とを入力するファイル入力手段２８ａと、複数の画像形成装置の全てが設定可能な印刷設定値を適用設定値として決定する適用設定値決定手段２８ｂと、適用設定値決定手段２８ｂによって決定された適用設定値を、ダイレクトプリント対応ファイルに関連付けられた印刷設定値としての関連設定値として保存する関連設定値保存手段２８ｃとを実現する。したがって、画像形成装置２０は、本発明のダイレクトプリント指示装置を構成している。
【００３６】
図３は、利用者端末３０のブロック図である。
【００３７】
図３に示すように、利用者端末３０は、種々の操作が入力される例えばキーボード、マウスなどの入力デバイスである操作部３１と、種々の情報を表示するＬＣＤなどの表示デバイスである表示部３２と、ネットワーク経由で、または、ネットワークを介さずに有線または無線によって直接に、外部の装置と通信を行う通信デバイスである通信部３３と、各種の情報を記憶する半導体メモリー、ＨＤＤなどの不揮発性の記憶デバイスである記憶部３４と、利用者端末３０全体を制御する制御部３５とを備えている。
【００３８】
記憶部３４は、ダイレクトプリントシステム１０に含まれる画像形成装置にダイレクトプリントを指示するためのダイレクトプリント指示プログラム３４ａを記憶している。ダイレクトプリント指示プログラム３４ａは、例えば、利用者端末３０の製造段階で利用者端末３０にインストールされていても良いし、ＵＳＢメモリー、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）などの外部の記憶媒体から利用者端末３０に追加でインストールされても良いし、ネットワーク上から利用者端末３０に追加でインストールされても良い。
【００３９】
記憶部３４は、印刷設定項目毎に種々の印刷設定値のレベルを示す印刷設定値レベル情報３４ｂを記憶している。
【００４０】
記憶部３４は、ダイレクトプリント対応ファイル３４ｃと、このダイレクトプリント対応ファイル３４ｃに関連付けられた関連設定値を含む設定値ファイル３４ｄとを記憶可能である。記憶部３４は、ダイレクトプリント対応ファイル３４ｃ以外にも、ダイレクトプリント対応ファイルを記憶可能であり、このダイレクトプリント対応ファイルに関連付けられた関連設定値を含む設定値ファイルも記憶可能である。
【００４１】
制御部３５は、例えば、ＣＰＵと、プログラムおよび各種のデータを記憶しているＲＯＭと、ＣＰＵの作業領域として用いられるＲＡＭとを備えている。ＣＰＵは、ＲＯＭまたは記憶部３４に記憶されているプログラムを実行する。
【００４２】
制御部３５は、ダイレクトプリント指示プログラム３４ａを実行することによって、ダイレクトプリントシステム１０に含まれる画像形成装置に、ダイレクトプリント対応ファイルと、ダイレクトプリント対応ファイルのダイレクトプリント時に適用される適用設定値とを入力するファイル入力手段３５ａと、複数の画像形成装置の全てが設定可能な適用設定値を決定する適用設定値決定手段３５ｂと、適用設定値決定手段３５ｂによって決定された適用設定値を、ダイレクトプリント対応ファイルに関連付けられた関連設定値として保存する関連設定値保存手段３５ｃとを実現する。したがって、利用者端末３０は、本発明のダイレクトプリント指示装置を構成している。
【００４３】
図４は、記憶媒体４０が記憶しているファイルの一例を示す図である。
【００４４】
図４に示すように、記憶媒体４０は、ダイレクトプリント対応ファイル４１と、このダイレクトプリント対応ファイル４１に関連付けられた関連設定値を含む設定値ファイル４２とを記憶可能である。記憶媒体４０は、ダイレクトプリント対応ファイル４１以外にも、ダイレクトプリント対応ファイルを少なくとも１つ記憶可能であり、このダイレクトプリント対応ファイルに関連付けられた関連設定値を含む設定値ファイルも記憶可能である。
【００４５】
次に、ダイレクトプリントシステム１０の動作について説明する。
【００４６】
図５は、画像形成装置にダイレクトプリント対応ファイルをダイレクトプリントさせる場合の画像形成装置２０の動作の一部のフローチャートである。図６は、図５に示す動作の続きのフローチャートである。
【００４７】
利用者は、画像形成装置２０が記憶媒体４０に対してデータの入出力が可能である状態にした後、記憶媒体４０に記憶されているダイレクトプリント対応ファイルを画像形成装置にダイレクトプリントさせるための処理の開始の指示を操作部２１から入力することができる。制御部２８は、記憶媒体４０に記憶されているダイレクトプリント対応ファイルを画像形成装置にダイレクトプリントさせるための処理の開始の指示が入力されると、図５および図６に示す動作を実行する。
【００４８】
図５および図６に示すように、ファイル入力手段２８ａは、記憶媒体４０にダイレクトプリント対応ファイルが記憶されているか否かを判断する（Ｓ１０１）。
【００４９】
ファイル入力手段２８ａは、記憶媒体４０にダイレクトプリント対応ファイルが記憶されているとＳ１０１において判断すると、記憶媒体４０に記憶されているダイレクトプリント対応ファイルのリストを示すファイルリスト画面５０（図７参照。）を表示部２２に表示する（Ｓ１０２）。
【００５０】
図７は、ファイルリスト画面５０の一例を示す図である。
【００５１】
図７に示すように、ファイルリスト画面５０は、ダイレクトプリント対応ファイルの選択を促すメッセージ５１と、記憶媒体４０に記憶されているダイレクトプリント対応ファイルのリスト５２とを含んでいる。
【００５２】
利用者は、リスト５２に示されたダイレクトプリント対応ファイルから、ダイレクトプリント対応ファイルを操作部２１を介して選択することができる。
【００５３】
図５および図６に示すように、ファイル入力手段２８ａは、Ｓ１０２の処理の後、リスト５２に示されたダイレクトプリント対応ファイルから、ダイレクトプリント対応ファイルが選択されたと判断するまで、リスト５２に示されたダイレクトプリント対応ファイルから、ダイレクトプリント対応ファイルが選択されたか否かを判断する（Ｓ１０３）。
【００５４】
ファイル入力手段２８ａは、リスト５２に示されたダイレクトプリント対応ファイルから、ダイレクトプリント対応ファイルが選択されたとＳ１０３において判断すると、ダイレクトプリントシステム１０に含まれる画像形成装置のリストを示す画像形成装置リスト画面６０（図８参照。）を表示部２２に表示する（Ｓ１０４）。
【００５５】
図８は、画像形成装置リスト画面６０の一例を示す図である。
【００５６】
図８に示すように、画像形成装置リスト画面６０は、ダイレクトプリント対応ファイルをダイレクトプリントさせる画像形成装置の選択を促すメッセージ６１と、ダイレクトプリントシステム１０に含まれる画像形成装置のリスト６２とを含んでいる。
【００５７】
リスト６２には、画像形成装置２０も含まれている。
【００５８】
利用者は、リスト６２に示された画像形成装置から、ダイレクトプリント対応ファイルをダイレクトプリントさせる画像形成装置を操作部２１を介して選択することができる。ここで、利用者は、ダイレクトプリント対応ファイルをダイレクトプリントさせる画像形成装置を複数選択することもできる。
【００５９】
図５および図６に示すように、ファイル入力手段２８ａは、Ｓ１０４の処理の後、リスト６２に示された画像形成装置から、ダイレクトプリント対応ファイルをダイレクトプリントさせる画像形成装置が選択されたと判断するまで、リスト６２に示された画像形成装置から、ダイレクトプリント対応ファイルをダイレクトプリントさせる画像形成装置が選択されたか否かを判断する（Ｓ１０５）。
【００６０】
適用設定値決定手段２８ｂは、リスト６２に示された画像形成装置から、ダイレクトプリント対応ファイルをダイレクトプリントさせる画像形成装置が選択されたとＳ１０５において判断されると、選択された画像形成装置（以下「対象装置」という。）自身の設定可能な印刷設定値（以下「設定可能設定値」という。）と、対象装置自身のデフォルト設定値とを、対象装置のそれぞれから取得する（Ｓ１０６）。
【００６１】
次いで、適用設定値決定手段２８ｂは、ファイルリスト画面５０において選択されたダイレクトプリント対応ファイルに関連付けられた関連設定値を含む設定値ファイル（以下「対象設定値ファイル」という。）が記憶媒体４０に記憶されているか否かを判断する（Ｓ１０７）。
【００６２】
適用設定値決定手段２８ｂは、対象設定値ファイルが記憶媒体４０に記憶されているとＳ１０７において判断すると、対象設定値ファイルに含まれる関連設定値を示す印刷設定画面７０（図９参照。）を表示部２２に表示する（Ｓ１０８）。
【００６３】
図９は、印刷設定画面７０の一例を示す図である。
【００６４】
図９に示すように、印刷設定画面７０は、印刷設定値を表示する設定値表示領域７１と、設定値表示領域７１に表示されている印刷設定値に関するコメントを表示するためのコメント表示領域７２と、設定値表示領域７１に表示されている印刷設定値を変更するための変更ボタン７３とを、印刷設定項目毎に含んでいる。図９に示す印刷設定画面７０は、対象設定値ファイルに含まれる関連設定値が設定値表示領域７１に表示されている。
【００６５】
図１０は、変更ボタン７３が押された場合の画像形成装置２０の動作のフローチャートである。
【００６６】
適用設定値決定手段２８ｂは、変更ボタン７３が押されると、図１０に示すように、押された変更ボタン７３に対応する印刷設定項目について、対象装置の全てが設定可能な印刷設定値を、Ｓ１０６において取得した設定可能設定値に基づいて特定する（Ｓ１３１）。次いで、適用設定値決定手段２８ｂは、Ｓ１３１において特定した印刷設定値のみの指定を許可し（Ｓ１３２）、印刷設定値が指定されたと判断するまで、印刷設定値が指定されたか否かを判断する（Ｓ１３３）。適用設定値決定手段２８ｂは、印刷設定値が指定されたとＳ１３３において判断すると、指定された印刷設定値を、対象の印刷設定項目の設定値表示領域７１に表示して（Ｓ１３４）、図１０に示す動作を終了する。
【００６７】
図５および図６に示すように、適用設定値決定手段２８ｂは、Ｓ１０８の処理の後、対象装置の全てが全ての印刷設定項目に対する関連設定値を設定可能であるか否かを、Ｓ１０６において取得した設定可能設定値と、対象設定値ファイルとに基づいて判断する（Ｓ１０９）。
【００６８】
適用設定値決定手段２８ｂは、対象装置の少なくとも１つが少なくとも１つの印刷設定項目に対する関連設定値を設定可能ではないとＳ１０９において判断すると、対象装置の少なくとも１つが設定可能ではない関連設定値を、図１１に示すように印刷設定画面７０において強調表示する（Ｓ１１０）。
【００６９】
図１１は、対象装置の少なくとも１つが設定可能ではない印刷設定値が強調表示された印刷設定画面７０の一例を示す図である。
【００７０】
図１１に示す印刷設定画面７０においては、印刷設定項目「用紙サイズ」について、設定値表示領域７１に表示されている印刷設定値「Ｂ４」が強調表示されているとともに、設定値表示領域７１に表示されている印刷設定値「Ｂ４」に関する「セットされている用紙サイズが違います」というコメントがコメント表示領域７２に表示されている。同様に、印刷設定項目「解像度」、「カラー設定」についても、それぞれ、設定値表示領域７１に表示されている印刷設定値が強調表示されているとともに、設定値表示領域７１に表示されている印刷設定値に関するコメントがコメント表示領域７２に表示されている。
【００７１】
なお、適用設定値決定手段２８ｂは、印刷設定画面７０において強調表示されている印刷設定値が図１０に示す動作によって変更された場合、その印刷設定値について、設定値表示領域７１における強調表示と、コメント表示領域７２へのコメントの表示とを終了する。
【００７２】
図５および図６に示すように、適用設定値決定手段２８ｂは、対象設定値ファイルが記憶媒体４０に記憶されていないとＳ１０７において判断すると、印刷設定値の指定の希望の有無を問い合わせる問い合わせ画面を表示部２２に表示し（Ｓ１１１）、印刷設定値の指定の希望の有無を判断する（Ｓ１１２）。なお、利用者は、問い合わせ画面が表示部２２に表示されている場合、印刷設定値の指定の希望の有無を操作部２１を介して回答することができる。したがって、適用設定値決定手段２８ｂは、利用者からの回答に応じて、印刷設定値の指定の希望の有無を判断することができる。
【００７３】
適用設定値決定手段２８ｂは、印刷設定値の指定の希望が有るとＳ１１２において判断すると、印刷設定画面７０を表示部２２に表示する（Ｓ１１３）。ここで、適用設定値決定手段２８ｂは、印刷設定値レベル情報２７ｂに基づいて、印刷設定項目毎に、Ｓ１０６において取得したデフォルト設定値のうち、最もレベルが低い印刷設定値を特定し、特定した印刷設定値を設定値表示領域７１に表示する。
【００７４】
適用設定値決定手段２８ｂは、対象装置の全てが全ての印刷設定項目に対する関連設定値を設定可能であるとＳ１０９において判断するか、Ｓ１１０またはＳ１１３の処理を実行すると、印刷設定値の指定の終了が指示されたと判断するまで、印刷設定値の指定の終了が指示されたか否かを判断する（Ｓ１１４）。ここで、適用設定値決定手段２８ｂは、印刷設定画面７０を表示部２２に表示している場合、設定値表示領域７１における強調表示と、コメント表示領域７２へのコメントの表示とをいずれの印刷設定項目にもしていないときのみ、印刷設定値の指定の終了の指示を受け付ける。したがって、利用者は、印刷設定画面７０が表示部２２に表示されている場合、設定値表示領域７１における強調表示と、コメント表示領域７２へのコメントの表示とがいずれの印刷設定項目にもされていないときのみ、印刷設定値の指定の終了を操作部２１を介して指示することができる。
【００７５】
適用設定値決定手段２８ｂは、印刷設定値の指定の終了が指示されたとＳ１１４において判断すると、印刷設定値の指定の終了が指示された時点で印刷設定画面７０に示されていた印刷設定値を適用設定値として決定する（Ｓ１１５）。
【００７６】
適用設定値決定手段２８ｂは、印刷設定値の指定の希望が無いとＳ１１２において判断すると、印刷設定値レベル情報２７ｂに基づいて、印刷設定項目毎に、Ｓ１０６において取得したデフォルト設定値のうち、最もレベルが低い印刷設定値を適用設定値として決定する（Ｓ１１６）。
【００７７】
ファイル入力手段２８ａは、Ｓ１１５またはＳ１１６の処理の後、ダイレクトプリント対応ファイルと、Ｓ１１５またはＳ１１６において決定された適用設定値とを対象装置に入力する（Ｓ１１７）。
【００７８】
関連設定値保存手段２８ｃは、Ｓ１１７の処理の後、Ｓ１１５またはＳ１１６において決定された適用設定値を、Ｓ１１７において対象装置に入力したダイレクトプリント対応ファイルに関連付けられた関連設定値として設定値ファイルを生成し（Ｓ１１８）、Ｓ１１８において生成した設定値ファイルを記憶媒体４０に保存する（Ｓ１１９）。ここで、関連設定値保存手段２８ｃは、Ｓ１１９において保存する設定値ファイルに含まれる関連設定値に関連付けられたダイレクトプリント対応ファイルに関連付けられた関連設定値を含む設定値ファイルが、Ｓ１１９の実行前に既に存在する場合、この設定値ファイルを、Ｓ１１９において保存する設定値ファイルで上書きする。
【００７９】
ファイル入力手段２８ａは、記憶媒体４０にダイレクトプリント対応ファイルが記憶されていないとＳ１０１において判断するか、Ｓ１１９の処理を実行すると、図５および図６に示す動作を終了する。
【００８０】
以上においては、画像形成装置にダイレクトプリント対応ファイルをダイレクトプリントさせる場合の画像形成装置２０の動作について説明しているが、画像形成装置にダイレクトプリント対応ファイルをダイレクトプリントさせる場合の利用者端末３０の動作についても同様である。ただし、利用者端末３０は、ダイレクトプリント対応ファイルおよび設定値ファイルの取得先、および、設定値ファイルの保存先として、記憶媒体４０などの外部の記憶媒体ではなく、記憶部３４を使用する。
【００８１】
以上に説明したように、画像形成装置２０は、ダイレクトプリント対応ファイルのダイレクトプリント時に適用される印刷設定値として、複数の画像形成装置の全てが設定可能な印刷設定値を決定する（Ｓ１１５またはＳ１１６）ので、複数の画像形成装置のそれぞれで同一のダイレクトプリント対応ファイルがダイレクトプリントされた場合に同一の印刷結果を得ることができる。
【００８２】
画像形成装置２０は、ダイレクトプリント対応ファイルのダイレクトプリント時に適用される印刷設定値の指定を、複数の画像形成装置の全てが設定可能な範囲内で受け付ける（Ｓ１３２）ので、複数の画像形成装置のそれぞれで同一のダイレクトプリント対応ファイルがダイレクトプリントされた場合に同一の印刷結果を得るための利便性を向上することができる。
【００８３】
画像形成装置２０は、ダイレクトプリント対応ファイルに関連付けられた関連設定値が存在する場合（Ｓ１０７でＹＥＳ）、複数の画像形成装置の少なくとも１つが少なくとも１つの印刷設定項目に対する関連設定値を設定可能でないとき（Ｓ１０９でＮＯ）、全ての印刷設定項目に対する関連設定値のうち、複数の画像形成装置の少なくとも１つが設定可能でない関連設定値を印刷設定画面７０において通知して（Ｓ１１０）、ダイレクトプリント対応ファイルのダイレクトプリント時に適用される印刷設定値の指定を印刷設定画面７０において受け付けるので、複数の画像形成装置のそれぞれで同一のダイレクトプリント対応ファイルがダイレクトプリントされた場合に同一の印刷結果を得るための利便性を向上することができる。
【００８４】
画像形成装置２０は、ダイレクトプリント対応ファイルに関連付けられた関連設定値が存在しない場合（Ｓ１０７でＮＯ）、印刷設定項目毎に、複数の画像形成装置のそれぞれのデフォルトの印刷設定値のうち、最もレベルが低い印刷設定値を適用設定値として決定する（Ｓ１１６）ので、このダイレクトプリント対応ファイルがこれらの画像形成装置のそれぞれでダイレクトプリントされた場合に、印刷設定項目毎に、これらの画像形成装置のいずれかのデフォルトの印刷設定値が適用された同一の印刷結果を得ることができる。
【００８５】
画像形成装置２０は、複数の画像形成装置によるダイレクトプリント対応ファイルのダイレクトプリント時に適用された、これらの画像形成装置の全てが設定可能な印刷設定値を、このダイレクトプリント対応ファイルに関連付けられた関連設定値として保存する（Ｓ１１９）ので、これらの画像形成装置のそれぞれでこのダイレクトプリント対応ファイルが再度ダイレクトプリントされた場合に同一の印刷結果を再度得ることができる。
【符号の説明】
【００８６】
２０  画像形成装置（ダイレクトプリント指示装置）
２７ａ  ダイレクトプリント指示プログラム
２８ａ  ファイル入力手段
２８ｂ  適用設定値決定手段
２８ｃ  関連設定値保存手段
３０  利用者端末（ダイレクトプリント指示装置）
３４ａ  ダイレクトプリント指示プログラム
３４ｃ  ダイレクトプリント対応ファイル（特定の種類のファイル）
３４ｄ  設定値ファイル（関連設定値を含む設定値ファイル）
３５ａ  ファイル入力手段
３５ｂ  適用設定値決定手段
３５ｃ  関連設定値保存手段
４１  ダイレクトプリント対応ファイル（特定の種類のファイル）
４２  設定値ファイル（関連設定値を含む設定値ファイル）
【図１】
2019042968.tif 000003
【図２】
2019042968.tif 000004
【図３】
2019042968.tif 000005
【図４】
2019042968.tif 000006
【図５】
2019042968.tif 000007
【図６】
2019042968.tif 000008
【図７】
2019042968.tif 000009
【図８】
2019042968.tif 000010
【図９】
2019042968.tif 000011
【図１０】
2019042968.tif 000012
【図１１】
2019042968.tif 000013